(57)【特許請求の範囲】
【請求項１】
釣竿の竿杆に設けられ、リール脚を載置するためのリール脚載置面を有するリールシート本体と、該リールシート本体に設けられ、リール脚を受け入れる開口部を有する固定フードと、該固定フードと対向して移動可能にリールシート本体に設けられ、リール脚を受け入れる開口部を有する移動フードとを備えるリールシートであって、
前記固定フードの開口部の幅方向両側から竿尻側へ傾斜しながら第１の傾斜角度で延びた後、前記第１の傾斜角度よりも小さい第２の傾斜角度へ移行してリールシート本体の長手方向に沿って延設される段差状の第１の稜線部と、少なくとも前記リール脚載置面に載置されるリール脚の載置部の長さ範囲にわたって前記第１の稜線部と略平行に傾斜しながらリールシート本体の長手方向に沿って延設される段差状の第２の稜線部とを備え、前記第１の稜線部は、前記リール脚載置面を下側にして親指を前記リール脚載置面と反対側の面に当て付け且つ人差し指を前記固定フード付近に軽く当てた状態で前記リール脚を跨いで前記リールシートを手で把持する際にその手の中指が引っ掛かるための前方側と、小指が引っ掛かるための後方側とを有し、前記第２の稜線部は、前記手の薬指が前記第１の稜線部を跨いで前記第２の稜線部に引っ掛かるように、前記固定フードの開口部よりも竿先側の位置から前記第１の傾斜角度よりも小さい角度で竿尻側へと斜めに延び、その延在長さのほぼ中間部分において前記第１の稜線部と所定の間隔を隔てた状態で前記第１の稜線部と略平行に延びることを特徴とするリールシート。
【請求項２】
前記第２の稜線部に溝が形成されることを特徴とする請求項１に記載のリールシート。
【請求項３】
前記第１及び第２の稜線部を含めて稜線部の数が３つ以上であることを特徴とする請求項１又は請求項２に記載のリールシート。
【発明の詳細な説明】
【技術分野】
【０００１】
本発明は、リールを装着するために釣竿に設けられるリールシートに関する。
【背景技術】
【０００２】
従来から、リールを装着して使用できる釣竿においては、リールの脚部（以下、リール脚と称する）が着脱自在に装着されるリールシートが設けられる。このようなリールシートは、様々な形態のものが知られているが、一般的には、釣竿の竿杆に取り付けられ（あるいは、竿杆と一体に形成され）且つリール脚を載置するためのリール脚載置面を有するリールシート本体と、リールシート本体に設けられ且つリール脚を受け入れる開口部を有する固定フードと、固定フードと対向して移動可能にリールシート本体に設けられ且つリール脚を受け入れる開口部を有する移動フードとを備える。そして、このようなリールシートに対するリールの装着は、リール脚載置面上にリール脚を載置した状態で固定フードの開口部にリール脚の一端を挿入し、その状態で、移動フードを固定フード側へ移動させてリール脚の他端を移動フードの開口部に挿入して固定することで行なわれる。
【０００３】
ところで、このようにしてリールシートにリールを装着した状態で釣竿を握って釣りを行なう場合には、一般に、リール脚を跨いでリールシートを手で把持することが多い。こうした把持形態では、釣竿およびリールを望み通りに操作するべく、しっかりとした握持力をもって把持できることが望まれる。
【０００４】
そのため、例えば特許文献１には、リールシートの固定フードの開口部の幅方向両側から竿尻側へ傾斜するように稜線を形成し、この稜線を人差し指と中指との間に入り込ませるようにリールシートを把持することでグリップ力を確保できるようにした構成が開示されている。
【先行技術文献】
【特許文献】
【０００５】
【特許文献１】特開２００４−２０１５１３号
【発明の概要】
【発明が解決しようとする課題】
【０００６】
しかしながら、特許文献１に開示されるリールシートの稜線は、竿尻側へと傾斜してはいるが、固定フードの開口部の幅方向両側から斜めに立ち上がるようにリール脚載置面と反対側の面へ向けて大きな傾斜角度で延びているため、前述したようにリールと共に釣竿を把持する際、稜線を人差し指と中指との間に常に入り込ませるようにリールシートを把持できるとは限らず、把持したとしてもその把持状態を長時間続けると疲れ易く、また、グリップ力を弱めれば滑り易くなる。特に、リールを横にして手で釣竿を支えるように操作する際には、回転し易い構造となっている。
【０００７】
本発明は、前記事情に着目してなされたものであり、その目的とするところは、常に良好なグリップ力で把持することができ、握り込まなくても滑り難い、安定した握持性と操作性の向上を図ることができるリールシートを提供することにある。
【課題を解決するための手段】
【０００８】
前記課題を解決するために、請求項１に記載の発明は、釣竿の竿杆に設けられ、リール脚を載置するためのリール脚載置面を有するリールシート本体と、該リールシート本体に設けられ、リール脚を受け入れる開口部を有する固定フードと、該固定フードと対向して移動可能にリールシート本体に設けられ、リール脚を受け入れる開口部を有する移動フードとを備えるリールシートであって、前記固定フードの開口部の幅方向両側から竿尻側へ傾斜しながら第１の傾斜角度で延びた後、前記第１の傾斜角度よりも小さい第２の傾斜角度へ移行してリールシート本体の長手方向に沿って延設される段差状の第１の稜線部と、少なくとも前記リール脚載置面に載置されるリール脚の載置部の長さ範囲にわたって前記第１の稜線部と略平行に傾斜しながらリールシート本体の長手方向に沿って延設される段差状の第２の稜線部とを備え、前記第１の稜線部は、前記リール脚載置面を下側にして親指を前記リール脚載置面と反対側の面に当て付け且つ人差し指を前記固定フード付近に軽く当てた状態で前記リール脚を跨いで前記リールシートを手で把持する際にその手の中指が引っ掛かるための前方側と、小指が引っ掛かるための後方側とを有し、前記第２の稜線部は、前記手の薬指が前記第１の稜線部を跨いで前記第２の稜線部に引っ掛かるように、前記固定フードの開口部よりも竿先側の位置から前記第１の傾斜角度よりも小さい角度で竿尻側へと斜めに延び、その延在長さのほぼ中間部分において前記第１の稜線部と所定の間隔を隔てた状態で前記第１の稜線部と略平行に延びることを特徴とする。
【０００９】
この請求項１に記載の発明によれば、段差状の２つの稜線部が略平行に並んで延びており、しかも、これらの稜線部が少なくともリール脚載置面に載置されるリール脚の載置部の長さ範囲にわたってリールシート本体の長手方向に沿って延設されているため、釣竿を握ってリールシートに指を沿わせるだけで、指先が常に２つの稜線の少なくとも一方に掛止され、常に良好なグリップ力で把持することができる。つまり、握り込まなくても滑り難く、安定した握持性と操作性の向上を図ることができ、特にリールを横にした釣竿操作が滑らずに楽にできる。また、２つの稜線部の存在により、把持すべき位置が固定されないため、良好な把持性を確保でき、長時間把持しても疲れ難い。
【００１０】
なお、上記構成では、前記第２の稜線部に溝が形成されてもよく、その場合には、請求項１に記載の発明と同様の作用効果が得られるとともに、溝によって指先が引っ掛かり易くなり、安定して握持できる。
【００１１】
また、上記構成では、前記第１及び第２の稜線部を含めて稜線部の数が３つ以上であってもよい。
【発明の効果】
【００１２】
本発明によれば、常に良好なグリップ力で把持することができ、握り込まなくても滑り難い、安定した握持性と操作性の向上を図ることができるリールシートを提供できる。
【図面の簡単な説明】
【００１３】
【図１】釣竿の竿杆に設けられた本発明の一実施形態に係るリールシートの側面図である。
【図２】図１のリールシートの平面図である。
【図３】移動フードと抜け止め部材とをリールシート本体から取り外した状態を示す平面図である。
【図４】移動フードと抜け止め部材とをリールシート本体から取り外した状態を示す側面図である。
【図５】（ａ）は移動フードを後方側から見た背面図、（ｂ）は図２のＡ−Ａ線に沿う断面図である。
【図６】釣竿の竿杆に設けられた図１のリールシートにリールを装着して手で握った状態を示す側面図である。
【図７】リールシート本体に形成される稜線部の拡大側面図である。
【発明を実施するための形態】
【００１４】
以下、本発明に係るリールシートの一実施形態について、添付図面を参照して具体的に説明する。
図１〜図５は、本発明に係るリールシートの基本構成を示しており、図１は側面図、図２は平面図、図３は移動フードと抜け止め部材とをリールシート本体から取り外した状態を示す平面図、図４は移動フードと抜け止め部材とをリールシート本体から取り外した状態を示す側面図、図５の（ａ）は移動フードを後方側から見た背面図、図５の（ｂ）は図２のＡ−Ａ線に沿う断面図である。なお、以下の実施形態では、釣竿の軸方向（長手方向）Ｘに対して、図２で示す直交するＹ方向を左右（幅）方向と定義し、図１で示す直交するＺ方向を上下方向と定義する。
【００１５】
本実施形態に係るリールシート１は、釣竿の竿杆８０に対して嵌入される筒状のリールシート本体２（以下、シート本体と称する）を備えており、このシート本体２に、以下の構成部材が設けられている。なお、シート本体２は、図示しない金型を用いて合成樹脂を射出成形することで一体形成することが可能である。
【００１６】
シート本体２は、リールＲの脚部Ｒ１の載置部Ｒ１ａ（脚部Ｒ１の一部を形成し、脚部Ｒ１の本体の先端でこれに対して略垂直に延びる所定の長さを有する部分）が載置されるように平坦面となったリール脚載置面３と、その前後に対向して配置され、リール脚Ｒ１（具体的には、載置部Ｒ１ａの前端および後端）を受け入れる開口部５ａ，６ａを有する一対のフード５，６とを有している。これらの一対のフード５，６のうち、少なくとも一方は移動式に構成されており（本実施形態では、後方側が移動フード６になっており、前方側が固定フード５となっている）、公知のように、移動フード６に一体的に設けられた緊締レバー７の係止爪７ａを、緊締レバー７を倒伏させてシート本体２に設けられた移動フード係止凹凸部材９に係合することで、リールＲを締め付け固定できるように構成されている。
【００１７】
シート本体２には、移動フード６が軸方向Ｘに沿って移動できるように、左右両側面に、移動フード６の移動を案内する案内部（案内溝）１０が軸方向Ｘに沿って所定範囲にわたり形成されている。この案内部１０には、図５に示されるように、移動フード６の本体６Ａに一体形成された係合部６ｂが係合するようになっており、これにより、移動フード６がシート本体２から外れることなく軸方向Ｘに沿って案内されるようになっている。なお、移動フード６は、図２のＸ１方向から案内部１０に係合され、その端部に、抜け止め部材２０を止着することで、軸方向Ｘへ抜け止めされるようになっている。
【００１８】
リール脚載置面３の後方側には、案内部１０に対応して移動フード係止凹凸部材９が取着されている。この移動フード係止凹凸部材９は、リール脚載置面３の表面に形成された凹所３ａ内に嵌合した状態で止着されている。
【００１９】
移動フード６、緊締レバー７、係止爪７ａ、および、移動フード係止凹凸部材９は、例えば、ステンレス、アルミニウム合金、チタン、真鍮等の金属によって一体的に形成されており、移動フード６の内面には、樹脂等によって形成されてリールの脚部Ｒ１が当て付く当て付け部材６ｄが取着されている。
【００２０】
また、本実施形態では、リールシート１にリールＲを装着した状態で釣竿８０を握って釣りを行なう場合において特にリール脚Ｒ１を跨いでリールシート１を手で把持する際の把持性を向上させるための手段が設けられる。このような手段は、シート本体２の外周面の所定の部位に形成される２つの段差部（段差溝）によって構成される。具体的には、図１に明確に示されるように、シート本体２は、その外周面の左右両側に、固定フード５の開口部５ａの幅方向両側（図２中のＰ１，Ｐ２で示される部位）から竿尻８０ａ側へ傾斜しながらシート本体２の長手方向Ｘに沿って延設される段差状の第１の稜線部３０と、少なくともリール脚載置面３に載置されるリール脚Ｒ１の載置部Ｒ１ａの長さ範囲Ｌにわたって第１の稜線部３０と略平行に傾斜しながらシート本体２の長手方向Ｘに沿って延設される段差状の第２の稜線部３２とを備える。
【００２１】
各稜線部３０，３２を形成する段部はそれぞれ、シート本体２の左右方向Ｙに所定の幅（例えば、０．３ｍｍ〜１．５ｍｍ）をもって延在しており、その幅寸法は各稜線部３０，３２同士で同じであってもよく或いは異なっていてもよい（第１の稜線部３０が第２の稜線部よりも幅狭であってもよく、あるいは、その逆であってもよい）。また、各稜線部３０，３２の幅寸法は、その全長にわたって一定であってもよく、または、全長に沿って連続的に或いは段階的に変化してもよい。
【００２２】
また、本実施形態において、第１の稜線部３０は、固定フード５の開口部５ａの幅方向両側からリール脚載置面３と反対側の面へ向けて比較的大きな傾斜角度θ２（シート本体２の長手方向中心軸Ｏに対して成す角度θ２は例えば４０°〜５０°）で延びた後、その延在長さのほぼ中間部分で滑らかな傾斜角度θ１へ移行して（シート本体２の長手方向中心軸Ｏに対して成す角度θ１は例えば５°〜２０°）、リール脚載置面３に載置されるリール脚Ｒ１の載置部Ｒ１ａの長さ範囲Ｌを越えて延びつつ、リール脚載置面３と反対側の面へとほぼ達している。これに対し、第２の稜線部３２は、固定フード５の開口部５ａよりも前方側（釣竿の穂先側）の位置（例えば、リール脚載置面３とその反対側の面との間のほぼ中間位置）から第１の稜線部３０の初期傾斜角度θ２よりも緩やかな角度（例えば５°〜２５°）で竿尻８０ａ側へと斜めに延び、その延在長さのほぼ中間部分において第１の稜線部３０と所定の間隔Ｈ（例えばＨ＝３ｍｍ〜１０ｍｍ）を隔てた状態で第１の稜線部３０と略平行に延びつつ、リール脚載置面３と反対側の面へとほぼ達している。
【００２３】
また、ここで、図７に明確に示されるように、第２の稜線部３２には例えばその段部とほぼ連続して溝５０が形成されており、この場合、シート本体２の最も外径の小さい（肉厚が薄い）基準外周面２ａとこの基準外周面２ａから径方向外側に隆起するように第１の稜線部３０の段部を規定する（したがって、基準外周面２ａよりも大きい外径（肉厚）を有する）第１の拡径外周面２ｂとの間の段差寸法（外径寸法差の１／２）をｔ１、第１の拡径外周面２ｂとこの外周面２ｂから径方向外側に隆起するように第２の稜線部３２の段部を規定する（したがって、第１の拡径外周面２ｂよりも大きい外径（肉厚）を有する）第２の拡径外周面２ｃとの間の段差寸法（外径寸法差の１／２）をｔ２、溝５０の深さをｔ３とすると、ｔ１≧ｔ２およびｔ１≧ｔ３が成り立つように稜線部３０，３２および溝５０が形成される。
【００２４】
以上説明したように、本実施形態によれば、段差状の２つの稜線部３０，３２が略平行に並んで延びており、しかも、これらの稜線部３０，３２が少なくともリール脚載置面３に載置されるリール脚Ｒ１の載置部Ｒ１ａの長さ範囲Ｌにわたってシート本体２の長手方向Ｘに沿って延設されているため、釣竿の竿杆８０を握ってリールシート１に指を沿わせるだけで、指先が常に２つの稜線３０，３２の少なくとも一方に掛止され、常に良好なグリップ力で把持することができる。具体的には、図６に示されるように、リール脚載置面３を下側にして親指１００Ａをリール脚載置面３と反対側の面に当て付け且つ人差し指１００Ｂを固定フード５付近に軽く当てた状態でリール脚Ｒ１を跨いでリールシート１を手１００で把持すると、中指１００Ｃが第１の稜線部３０の前方側に引っ掛かり（指先が段差部に載置されるように掛止される）、薬指１００Ｄが第１の稜線部３０を跨いで第２の稜線部３２に引っ掛かり（指先が段差部に載置されるように掛止される）、小指１００Ｅが第１の稜線部３０の後方側に引っ掛かり、強固な握持力を得ることができる。つまり、握り込まなくても滑り難く、安定した握持性と操作性の向上を図ることができ、特にリールを横にした釣竿操作が滑らずに楽にできる。また、２つの稜線部３０，３２の存在により、把持すべき位置が固定されないため、良好な把持性を確保でき、長時間把持しても疲れ難い。
【００２５】
また、本実施形態によれば、第２の稜線部３２に溝５０が形成されているため、溝５０によって指先が引っ掛かり易くなり、安定して握持できる。
【００２６】
以上、本発明の実施形態について説明したが、本発明は、前述した実施形態に限定されず、その要旨を逸脱しない範囲で種々変形して実施できる。例えば、前述した実施形態では、溝５０が第２の稜線部３２に設けられていたが、溝５０が第１の稜線部３０にも設けられてもよい。また、稜線部の数が３つ以上であってもよい。
【符号の説明】
【００２７】
１  リールシート
２  リールシート本体
３  リール脚載置面
５  固定フード
５ａ  開口部
６  移動フード
６ａ  開口部
３０  第１の稜線部
３２  第２の稜線部
５０  溝
８０  釣竿竿杆
８０ａ  竿尻
Ｒ  リール
Ｒ１  リール脚
Ｒ１ａ  載置部
Ｘ  長手方向
【図１】
0006284577.tif 000002
【図２】
0006284577.tif 000003
【図３】
0006284577.tif 000004
【図４】
0006284577.tif 000005
【図５】
0006284577.tif 000006
【図６】
0006284577.tif 000007
【図７】
0006284577.tif 000008